(57)【要約】【課題】小型直流モータのリード線固定作業に於て、はんだ付け作業を無くすと共に、簡素、且つ、確実にリード線を固定する。【解決手段】内周面に永久磁石が固定された有底円筒形のモータケースの内部に、コンミテータが固定されたシャフトを持つロータを収容し、前記モータケースの開放部を塞ぐブラケット７の内面に前記コンミテータに摺接する一対のブラシ８，８の基部を取付け、該ブラシ８，８の基部に外部接続用のリード線９，９を接続する小型直流モータに於て、前記ブラケット７に前記リード線９を挿入する貫通孔１０を形成すると共に、前記ブラシ８を取付ける端子１４に弾性導電体１５を設け、該弾性導電体１５を前記貫通孔１０内に挿入し、前記リード線９を該貫通孔１０内に挿入した時、該貫通孔１０内で前記弾性導電体１５が該リード線９を該貫通孔１０の内壁部に圧接して、該リード線１０を固定するように構成した。【選択図】  図３
2005027393.tif 000002
【特許請求の範囲】
【請求項１】
内周面に永久磁石が固定された有底円筒形のモータケースの内部に、コンミテータが固定されたシャフトを持つロータを収容し、前記モータケースの開放部を塞ぐブラケットの内面に前記コンミテータに摺接する一対のブラシの基部を取付け、該ブラシの基部に外部接続用のリード線を接続する小型直流モータに於て、前記ブラケットに前記リード線を挿入する貫通孔を形成すると共に、前記ブラシを取付ける端子に弾性導電体を設け、該弾性導電体を前記貫通孔内に挿入し、前記リード線を該貫通孔内に挿入した時、該貫通孔内で前記弾性導電体が該リード線を該貫通孔の内壁部に圧接して、該リード線を固定するように構成したことを特徴とする小型直流モータ。
【請求項２】
上記貫通孔には上記リード線の挿入を案内すべく、外方に向かって拡開するテーパー状の案内孔が形成されていることを特徴とする請求項１記載の小型直流モータ。
【請求項３】
上記貫通孔の内部には上記リード線の挿入を案内し、位置決めする案内・位置決め部材が設けられていることを特徴とする請求項１又は２記載の小型直流モータ。
【請求項４】
上記貫通孔の内壁面には上記リード線の一部外周面を保持すべく、該リード線の挿入方向に延びる断面略半円状の溝が形成されていることを特徴とする請求項１，２又は３記載の小型直流モータ。
【請求項５】
上記弾性導電体は先端部が折曲されて斜設され、上記貫通孔内に上記リード線が挿入された時、該先端部によって該リード線を斜め方向に圧接することにより、該リード線の挿入方向の摺動を許容し、引き抜き方向の摺動を規制するように構成されていることを特徴とする請求項１，２，３又は４記載の小型直流モータ。
【発明の詳細な説明】
【０００１】
【発明の属する技術分野】
この発明は、小型直流モータに関するものであり、特に、内周面に永久磁石が固定された有底円筒形のモータケースの内部に、コンミテータが固定されたシャフトを持つロータを収容し、該モータケースの開放部を塞ぐブラケットの内面に前記コンミテータに摺接する一対のブラシの基部を取付け、該ブラシの基部に外部接続用のリード線を接続する小型直流モータに於て、前記リード線の取付けを容易にした小型直流モータに関するものである。
【０００２】
【従来の技術及び発明が解決しようとする課題】
従来の此種小型直流モータに於けるブラシ又は端子とリード線の接続構造は、例えば、特許文献１の図４に示す従来例の如く、リード線と端子をブラケットに位置決めして設置し、該端子とリード線芯線に熱を加えながらはんだによりはんだ付けを行なうものが多く知られている。
【０００３】
然しながら、前記小型直流モータのブラシ又は端子とリード線の接続構造ははんだ付けのため、はんだ付け作業時のフラックスの飛散によりブラシやブラケットが汚染されて品質が低下し、又、不安定なはんだ付け作業は検査工程を追加する必要があるので、コスト高となり、同時に品質も安定しないという問題があった。
【０００４】
そこで、前記特許文献１では、ブラシと端子の少なくともどちらか一方に所定の切欠き部を設け、その切欠き部にリード線を圧入固定又はカシメ固定することにより、はんだ付けを不要とした小型直流モータのリード線固定構造が記載されている。
【０００５】
然しながら、該小型直流モータのリード線固定構造に於ても、リード線を圧入固定又はカシメ固定する作業を行なうため、工数がかかり、又、該圧入固定又はカシメ固定する作業によるリード線固定構造の品質が安定しないという問題がある。
【０００６】
そこで、小型直流モータのリード線固定作業に於て、はんだ付け作業を無くすと共に、簡素、且つ、確実にリード線を固定するために解決すべき技術的課題が生じてくるのであり、本発明はこの課題を解決することを目的とする。
【０００７】
【特許文献１】
特開平５−３０８７５４号公報  （第１−３頁、第１−４図）
【０００８】
【課題を解決するための手段】
本発明は上記目的を達成するために提案されたものであり、請求項１記載の発明は、内周面に永久磁石が固定された有底円筒形のモータケースの内部に、コンミテータが固定されたシャフトを持つロータを収容し、前記モータケースの開放部を塞ぐブラケットの内面に前記コンミテータに摺接する一対のブラシの基部を取付け、該ブラシの基部に外部接続用のリード線を接続する小型直流モータに於て、前記ブラケットに前記リード線を挿入する貫通孔を形成すると共に、前記ブラシを取付ける端子に弾性導電体を設け、該弾性導電体を前記貫通孔内に挿入し、前記リード線を該貫通孔内に挿入した時、該貫通孔内で前記弾性導電体が該リード線を該貫通孔の内壁部に圧接して、該リード線を固定するように構成した小型直流モータである。
【０００９】
該請求項１記載の発明によれば、はんだ付け作業を行なうことなく、リード線固定作業の簡素化を図ることが可能となる。
【００１０】
又、請求項２記載の発明は、上記貫通孔には上記リード線の挿入を案内すべく、外方に向かって拡開するテーパー状の案内孔が形成されている請求項１記載の小型直流モータである。
【００１１】
該請求項２記載の発明によれば、リード線の挿入が容易になる。
【００１２】
更に、請求項３記載の発明は、  上記貫通孔の内部には上記リード線の挿入を案内し、位置決めする案内・位置決め部材が設けられている請求項１又は２記載の小型直流モータである。
【００１３】
該請求項３記載の発明によれば、前記案内・位置決め部材によって、前記リード線が円滑に案内され、且つ、固定位置に位置決めされる。
【００１４】
そして、請求項４記載の発明は、上記貫通孔の内壁面には上記リード線の一部外周面を保持すべく、該リード線の挿入方向に延びる断面略半円状の溝が形成されている請求項１，２又は３記載の小型直流モータである。
【００１５】
該請求項４記載の発明によれば、前記溝によってリード線が安定して保持される。
【００１６】
又、請求項５記載の発明は、上記弾性導電体は先端部が折曲されて斜設され、上記貫通孔内に上記リード線が挿入された時、該先端部によって該リード線を斜め方向に圧接することにより、該リード線の挿入方向の摺動を許容し、引き抜き方向の摺動を規制するように構成されている請求項１，２，３又は４記載の小型直流モータである。
【００１７】
該請求項５記載の発明によれば、リード線の挿入が容易になると共に、リード線の抜けを防止して、該リード線を確実に固定することができる。
【００１８】
【発明の実施の形態】
以下、本発明の一実施の形態を図１乃至図４に従って詳述する。図１及び図２に於て、１は小型直流モータであり、該小型直流モータ１は、内周面に永久磁石２が固定された有底円筒形のモータケース３の内部に、コンミテータ４が固定されたシャフト５を持つロータ６が収容され、前記モータケース３の開放部を塞ぐ樹脂性のブラケット７の内面に前記コンミテータ４に摺接する一対のブラシ８，８の基部が取付けられ、該ブラシ８，８の基部に後述する端子及び弾性導電体を介して外部接続用のリード線９，９が接続されている。
【００１９】
そして、前記ブラケット７に前記リード線９，９の先端部の芯線９ａ，９ａを挿入する貫通孔１０，１０が互いに略９０°離間して形成され、図３に示す如く、該貫通孔１０の外側部には前記芯線９ａ，９ａの挿入を案内すべく、外方に向かって拡開するテーパー状の案内孔１０ａが形成され、内側部には該案内孔１０ａに連通し、内方に開放する断面矩形状の内側孔１０ｂが形成されている。
【００２０】
又、該内側孔１０ｂの一内壁面［図３（ａ）に於て上壁面］には前記芯線９ａの一部外周面を保持すべく、該芯線９ａの挿入方向に延びる断面略半円状の溝１１が形成されている。
【００２１】
更に、前記内側孔１０ｂの前記案内孔１０ａ近傍には前記芯線９ａの挿入を案内し、且つ、位置決めする案内・位置決め部材１２が設けられている。そして、該案内・位置決め部材１２は後述する弾性導電体と接触しないように図３（ａ）に示す如く正面視三角形状に形成されている。
【００２２】
一方、前記貫通孔１０に所定間隔離間して、該貫通孔１０と略平行方向に、端子取付孔１３が開穿されている。
【００２３】
又、略Ｌ字状に形成された端子１４の立設部１４ａの折曲部１４ｂ近傍に該端子１４と直交して前記ブラシ８が取付けられ、更に、該端子１４の基端部１４ｃに略Ｌ字状の弾性導電体１５の基端部１５ａが取り付けられる。
【００２４】
そして、該弾性導電体１５の立設部１５ｂの上端は更に略１８０°近く折り返され、図３（ａ）に於て左斜め上方に向かって斜設部１５ｃが形成されている。
【００２５】
而して、前記端子１４の立設部１４ａを前記端子取付孔１３内に挿入して取り付けると前記ブラシ８が図４に示す如く、内方に延びて前記コンミテータ（図２に於て４）と接触自在となる。そして、同様に、他方のブラシ８も前記ブラシ８と直交する如く、内方に延びて前記コンミテータ（図２に於て４）と接触自在に設置される。
【００２６】
一方、図３に示す如く、前記弾性導電体１５の立設部１５ｂ及び斜設部１５ｃは前記内側孔１０ｂ内に挿入され、前記リード線９の芯線９ａが前記案内孔１０ａから該内側孔１０ｂ内に挿入された時、該内側孔１０ｂ内で前記弾性導電体１５の斜設部１５ｃの先端部１５ｄが該芯線９ａを斜め方向に圧接する。そして、該先端部１５ｄが該芯線９ａを斜め方向に圧接することにより該芯線９ａの挿入方向の摺動が許容され、該芯線９ａが該内側孔１０ｂ内に挿入されると、該先端部１５ｄによって引き抜き方向の摺動が規制されて該芯線９ａが固定される。
【００２７】
斯くして、前記小型直流モータ１は、前記案内孔１０ａによって、リード線９の芯線９ａの挿入が容易になり、前記案内・位置決め部材１２によって、該芯線９ａが案内・位置決めされ、且つ、前記溝１１によって、該芯線９ａが所定位置に保持され、前記弾性導電体１５の斜設部１５ｃによって、該芯線９ａの挿入が容易になると共に、該芯線９の抜けが防止されて、固定され、これにより、リード線９の固定作業の簡素化を図ることが可能となると共に、固定を確実にすることができる。
【００２８】
尚、本発明は、本発明の精神を逸脱しない限り種々の改変を為すことができ、そして、本発明が該改変されたものに及ぶことは当然である。
【００２９】
【発明の効果】
本発明は上記一実施の形態に詳述したように、請求項１記載の発明は、小型直流モータに於て、ブラケットにリード線を挿入する貫通孔を形成すると共に、ブラシを取付ける端子に弾性導電体を設け、該弾性導電体を前記貫通孔内に挿入し、前記リード線を該貫通孔内に挿入した時、該貫通孔内で前記弾性導電体が該リード線を該貫通孔の内壁部に圧接して、該リード線を固定するように構成したので、リード線固定作業の簡素化を図ることが可能となると共に、固定を確実にすることができる。
【００３０】
又、請求項２記載の発明は、上記貫通孔には上記リード線の挿入を案内すべく、外方に向かって拡開するテーパー状の案内孔が形成されているので、請求項１記載の発明の効果に加え、リード線の挿入が容易になる。
【００３１】
更に、請求項３記載の発明は、上記貫通孔の内部には上記リード線の挿入を案内し、位置決めする案内・位置決め部材が設けられているので、請求項１又は２記載の発明の効果に加え、前記リード線が該案内・位置決め部材によって、案内され、且つ、位置決めされる。
【００３２】
そして、請求項４記載の発明は、上記貫通孔の内壁面には上記リード線の一部外周面を保持すべく、該リード線の挿入方向に延びる断面略半円状の溝が形成されているので、請求項１，２又は３記載の発明の効果に加え、前記溝によってリード線が確実に保持される。
【００３３】
又、請求項５記載の発明は、上記弾性導電体は先端部が折曲されて斜設され、上記貫通孔内に上記リード線が挿入された時、該先端部によって該リード線を斜め方向に圧接することにより、該リード線の挿入方向の摺動を許容し、引き抜き方向の摺動を規制するように構成されているので、請求項１，２，３又は４記載の発明の効果に加え、該弾性導電体によりリード線の挿入が容易になると共に、リード線の抜けを防止することができ、該リード線を確実に固定することができる等、正に著大なる効果を奏する発明である。
【図面の簡単な説明】
【図１】（ａ）本発明の一実施の形態を示し、小型直流モータの正面図。
（ｂ）本発明の一実施の形態を示し、小型直流モータの側面図。
【図２】本発明の一実施の形態を示し、小型直流モータの一部切欠拡大正面図。
【図３】（ａ）図１のＡ−Ａ線一部断面図。
（ｂ）図３（ａ）のＢ−Ｂ線断面図。
【図４】図１のブラケットにブラシを取り付けた状態を示す内側面図。
【符号の説明】
１          小型直流モータ
２          永久磁石
３          モータケース
４          コンミテータ
５          シャフト
６          ロータ
７          ブラケット
８          ブラシ
９          リード線
１０          貫通孔
１０ａ        案内孔
１１          溝
１２          案内・位置決め部材
１４          端子
１５          弾性導電体
１５ｄ        先端部
【図１】
2005027393.tif 000003
【図２】
2005027393.tif 000004
【図３】
2005027393.tif 000005
【図４】
2005027393.tif 000006